(57)【特許請求の範囲】
【請求項１】
親局装置と複数の子局装置が光伝送路を介して接続され、下り方向および上り方向の通信をそれぞれ複数の波長を用いて行う通信システムであって、
前記子局装置は、
自装置が使用可能な波長および波長の切替時間に関する能力情報を含む制御信号を前記親局装置に送信する光送受信器を備え、
前記親局装置は、
前記子局装置より受信した前記制御信号に基づいて、前記通信において用いる波長を割り当て、割り当てた波長を前記子局装置に通知する制御信号を生成する制御部と、
前記制御部により生成された制御信号を前記子局装置に送信する光送信器と、
を備え、
前記子局装置の光送受信器は、前記親局装置より受信した制御信号に基づく波長を用いて前記親局装置との通信を行い、
前記制御部は、前記子局装置が使用する波長を切り替える際、波長を切り替える子局装置との通信において障害を検知しない期間を前記能力情報に基づいて設定すること、
を特徴とする通信システム。
【請求項２】
親局装置と複数の子局装置が光伝送路を介して接続され、上り方向および下り方向の通信をそれぞれ複数の波長を用いて行う通信システムに適用可能な親局装置であって、
前記子局装置より受信した、前記子局装置が使用可能な波長および波長の切替時間に関する能力情報を含む制御信号に基づいて前記通信において使用する波長を割り当て、割り当てられた波長を当該子局装置に通知する制御信号を生成する制御部と、
前記制御部により生成された制御信号を当該子局装置に送信する送信器と、
を備え、
前記制御部は、前記子局装置が使用する波長を切り替える際、波長を切り替える子局装置との通信において障害を検知しない期間を前記能力情報に基づいて設定すること、
を特徴とする親局装置。
【請求項３】
親局装置と複数の子局装置が光伝送路を介して接続され、下り方向および上り方向の通信を複数の波長を用いて行い、前記親局装置は前記子局装置との通信において障害を検出しない期間を設定可能な通信システムに適用可能な子局装置であって、
自装置が使用可能な波長および波長の切替時間に関する能力情報を含む制御信号を前記親局装置に送信し、自装置に割り当てられた波長に関する情報を含む制御信号を前記親局装置から受信し、受信した制御信号に基づく波長を用いて前記親局装置との通信を行う光送受信器、
を備え、
前記期間は、前記能力情報に基づいて、前記自装置が使用する波長を切り替える際に設定されること、
を特徴とする子局装置。
【請求項４】
親局装置と複数の子局装置が光伝送路を介して接続され、上り方向および下り方向の通信を複数の波長を用いて行う通信システムの親局装置に適用可能な制御装置であって、
前記子局装置より通知された、前記子局装置が使用可能な波長および波長の切替時間に関する能力情報に基づいて前記子局装置が前記通信において使用する波長を決定し、決定した波長を当該子局装置に通知する制御信号を生成し、
前記子局装置が使用する波長を切り替える際、波長を切り替える子局装置との通信において障害を検知しない期間を前記能力情報に基づいて設定すること、
を特徴とする制御装置。
【請求項５】
親局装置と複数の子局装置が光伝送路を介して接続され、上り方向および下り方向の通信を複数の波長を用いて行い、前記親局装置は前記子局装置との通信において障害を検出しない期間を設定可能な通信システムの子局装置に適用可能な制御装置であって、
自装置が使用可能な波長および波長の切替時間に関する能力情報を前記親局装置に通知する制御信号を生成し、親局装置から受信した、前記親局装置により自装置に割り当てられた波長に関する情報を含む制御信号に基づく波長を使用可能なように光送受信器を制御し、
前記期間は、前記能力情報に基づいて、自装置が適用された子局装置が使用する波長を切り替える際に設定されること、
を特徴とする制御装置。
【請求項６】
親局装置と複数の子局装置が光伝送路を介して接続され、前記子局装置は前記親局装置と送信および受信を複数の波長を用いて行う通信システムに適用可能な通信制御方法であって、
前記子局装置が、自装置が使用可能な波長および波長の切替時間に関する能力情報を含む制御信号を前記親局装置に送信する能力情報通知ステップと、
前記親局装置が、能力情報通知ステップにおいて通知された能力情報に基づいて、前記子局装置に前記通信において用いる波長を割り当て、割り当てた波長を前記子局装置に通知する波長通知ステップと、
前記波長通知ステップにおいて前記親局装置から通知された波長に基づいて、前記子局装置が前記親局装置とのデータの送信または受信を行うデータ送受信ステップと、
前記親局装置が、前記子局装置が使用する波長を切り替える際に波長を切り替える子局装置との通信において障害を検知しない期間を前記能力情報に基づいて設定する障害未検知期間設定ステップと、
を備えることを特徴とする通信制御方法。
【発明の詳細な説明】
【技術分野】
【０００１】
本発明は、親局装置と複数の子局装置が共通の回線を介して接続された通信システム、およびその通信システムに適用可能な通信制御方法、親局装置、子局装置、制御装置に関するものであり、例えばＯＬＴ（Optical  Line  Terminal：局側終端装置）と複数のＯＮＵ（Optical  Network  Unit：利用者側終端装置）とで構成されるＰＯＮ（Passive  Optical  Network）システム等に関する。
【背景技術】
【０００２】
これまで、局側（親局装置）とユーザ宅側（子局装置）とを接続するアクセス網において、その高速性および経済性からＰＯＮシステムを始めとする光通信システムが急速に普及している。ユーザの使用するデータ量は、年々増加傾向にあり、ＰＯＮシステムにおいても１５０Ｍ/ｂｐｓ、６００Ｍ／ｂｐｓ、１Ｇ／ｂｐｓ、１０Ｇ／ｂｐｓと伝送速度を高速化してきた。今後、更なる大容量化が必要となる可能性が高いが、伝送速度を高速化させようとすると、光送受信器等のデバイス技術が追い付かず、コストがかかるという課題がある。
【０００３】
この課題を解決するために、データの伝送に用いる光信号について複数波長を多重化する手法が提案されており、その手法によれば波長ごとには高速化しなくても多重化を行うことにより大容量化が可能となる（例えば、特許文献１参照）。
【先行技術文献】
【特許文献】
【０００４】
【特許文献１】特開２００６−１５７８４７号公報
【発明の概要】
【発明が解決しようとする課題】
【０００５】
従来の波長多重を行う光通信システムでは、子局装置であるＯＮＵは複数の波長のうちのいずれか１波長しか使用できないため、ＯＮＵの管理運用、調達が不便となる。このため、ＯＮＵは受信する波長、または、送信する波長が可変で、１種類のＯＮＵで、どの波長でも使用できるようにすることが望ましい（カラーレスＯＮＵ）。親局装置であるＯＬＴと複数波長を可変で動作可能なＯＮＵとが円滑に通信を行うためには、可変波長のＯＮＵが、複数個の波長から使用波長を適切に選択することが運用上必要となる。
【０００６】
本発明は、上記の課題を解決するためになされたものであり、親局装置と複数の子局装置が伝送路を介して接続され、下り方向および上り方向の少なくとも一方の通信を複数の波長を用いて行う通信システムにおいて、可変波長のＯＮＵによって使用される波長がより適切に選択され、ＯＮＵとＯＬＴ間の通信を円滑に行うことを目的とする。
【課題を解決するための手段】
【０００７】
この発明に係る通信システムは、親局装置と複数の子局装置が光伝送路を介して接続され、下り方向および上り方向の通信をそれぞれ複数の波長を用いて行う通信システムであって、子局装置は、自装置の送信および受信可能な波長に関する能力情報を含む制御信号を親局装置に送信する光送受信器を備え、親局装置は、子局装置より受信した制御信号に基づいて、通信において用いる波長を割り当て、割り当てた波長を子局装置に通知する制御信号を生成する制御部と、制御部により生成された制御信号を子局装置に送信する光送信器と、を備え、子局装置の光送受信器は、親局装置より受信した制御信号に基づく波長を用いて親局装置との通信を行う。
【０００８】
また、この発明に係る親局装置は、親局装置と複数の子局装置が光伝送路を介して接続され、上り方向および下り方向の通信をそれぞれ複数の波長を用いて行う通信システムに適用可能な親局装置であって、子局装置より受信した、子局装置の送信および受信可能な波長に関する能力情報を含む制御信号に基づいて通信において使用する波長を割り当て、割り当てられた波長を当該子局装置に通知する制御信号を生成する制御部と、制御部により生成された制御信号を当該子局装置に送信する送信器と、を備える。
【０００９】
また、この発明に係る子局装置は、親局装置と複数の子局装置が光伝送路を介して接続され、下り方向および上り方向の通信を複数の波長を用いて行う通信システムに適用可能な子局装置であって、自装置の送信および受信可能な波長に関する能力情報を含む制御信号を親局装置に送信し、自装置に割り当てられた波長に関する情報を含む制御信号を親局装置から受信し、受信した制御信号に基づく波長を用いて親局装置との通信を行う光送受信器、を備える。
【００１０】
また、この発明に係る制御装置は、親局装置と複数の子局装置が光伝送路を介して接続され、上り方向および下り方向の通信を複数の波長を用いて行う通信システムの親局装置に適用可能な制御装置であって、子局装置より通知された、子局装置の送信および受信可能な波長に関する能力情報に基づいて子局装置に通信において使用する波長を決定し、決定した波長を当該子局装置に通知する制御信号を生成する。
【００１１】
また、この発明に係る制御装置は、親局装置と複数の子局装置が光伝送路を介して接続され、上り方向および下り方向の通信を複数の波長を用いて行う通信システムの子局装置に適用可能な制御装置であって、自装置の送信および受信可能な波長に関する能力情報を親局装置に通知する制御信号を生成し、親局装置から受信した、親局装置により自装置に割り当てられた波長に関する情報を含む制御信号に基づく波長を使用可能なように光送受信器を制御する。
【００１２】
また、この発明に係る制御方法は、親局装置と複数の子局装置が光伝送路を介して接続され、子局装置は親局装置と送信および受信を複数の波長を用いて行う通信システムに適用可能な通信制御方法であって、子局装置が、自装置の送信および受信可能な波長に関する能力情報を含む制御信号を親局装置に送信する能力情報通知ステップと、親局装置が、能力情報通知ステップにおいて通知された能力情報に基づいて、子局装置に通信において用いる波長を割り当て、割り当てた波長を子局装置に通知する波長通知ステップと、波長通知ステップにおいて親局装置から通知された波長に基づいて、子局装置が親局装置とのデータの送信または受信を行うデータ送受信ステップと、を備える。
【発明の効果】
【００１３】
本発明によれば、親局装置と可変波長の子局装置が伝送路を介して接続され、下り方向および上り方向の少なくとも一方の通信を複数の波長を用いて行う通信システムにおいて、可変波長のＯＮＵによって使用される波長がより適切に選択され、ＯＮＵとＯＬＴ間の通信を円滑に行うことができる。
【図面の簡単な説明】
【００１４】
【図１】この発明の実施の形態１に係る通信システムの構成を示すブロック図である。
【図２】この発明の実施の形態１に係る通信システムの動作を示すフローチャートである。
【図３】この発明の実施の形態１に係る通信システムにおける能力情報通知のフォーマットの一例を示す図である。
【図４】この発明の実施の形態１に係る通信システムのＯＬＴで管理するＯＮＵ管理テーブルの一例を示す図である。
【図５】この発明の実施の形態１に係る通信システムにおける使用波長通知のフォーマットの一例を示す図である。
【図６】この発明の実施の形態１に係る通信システムの動作を示すシーケンス図である。
【図７】この発明の実施の形態２に係る通信システムの動作を示すシーケンス図である。
【図８】この発明の実施の形態３に係る通信システムの動作を示すシーケンス図である。
【発明を実施するための形態】
【００１５】
実施の形態１．
本発明を適用した通信システムについて、ＰＯＮシステムを例にとり説明する。なお、本発明は、その趣旨を逸脱しない限りＰＯＮシステム以外の光通信システムにも適用可能である。図１に、本実施の形態にかかるＰＯＮシステムの構成例を示す。図１において、本実施の形態１に係るＰＯＮシステムは、親局装置である局側終端装置（Optical  Line  Terminal，以下、適宜「ＯＬＴ」と略記する）１０と子局装置である加入者側終端装置（Optical  Network  Unit，適宜「ＯＮＵ」と略記する）２０−１〜ｎ（ｎ＝２,３,・・・）とを備えている。なお、ここではＯＮＵを３台のみ示し、他のＯＮＵについては省略しているおり、本発明を適用できるＯＮＵの台数は何台でもよい。また、図および以下の説明において、通信システム内において複数存在する同種の装置等には、数字の後に「−」と数字を付して区別している（例えば、ＯＮＵ２０−１）。また、図および以下の説明において、当該装置等を総称する場合、または、区別しない場合には、ＯＮＵ２０のように「−」なしの符号を用いて説明するものとする（例えば、ＯＮＵ２０）。
【００１６】
ＯＬＴ１０と複数のＯＮＵ２０は、加入者線３０の一部を共有しており、パワースプリッタ４０により加入者線３０をＯＮＵ２０−１〜ｎの数にあわせて分岐させている。ＯＮＵ２０は、端末（図１では省略）が接続されており、ＯＬＴ１０は、上位ネットワーク（図１では省略）と接続されている。加入者線３０は、光伝送路であり、ここでは光ファイバを用いるものとする。また、加入者線３０およびパワースプリッタ４０は複数の波長の光信号を伝送および分配・合成可能であり、ここでは、波長λ１１〜λ１４および波長λ２１〜λ２４の光信号に対応可能であるとする。また、ＯＬＴ１０からＯＮＵ２０への方向を下り方向とし、その通信を下り方向の通信とする。同様に、ＯＮＵ２０からＯＬＴ１０の方向を上り方向とし、その通信を上り方向の通信とする。
【００１７】
ＯＬＴ１０は、ＰＯＮプロトコルに基づいてＯＬＴ側の処理を実施するＰＯＮ制御部１１と、異なる波長の光信号の多重化を行うＷＤＭ（Wavelength  Division  Multiplexing）カプラ（ＷＤＭ）１２，１３−１，１３−２を備えている。また、図１においては省略したが、ＯＮＵ２０から受信する上りデータを格納するためのバッファである受信バッファと、ＯＮＵ２０へ送信する下りデータを格納するためのバッファである送信バッファ、上位ネットワークとの間でＮＮＩ（Network  Node  Interface）の物理インタフェース機能を実現する物理層処理部（ＰＨＹ）と、を備えている。
【００１８】
ＯＬＴ１０のＰＯＮ制御部１１は、ＯＮＵ２０に対して送信時間帯および使用波長が重ならないようにそれぞれ送信許可を与えるように上りデータの帯域割り当てを行い、各ＯＮＵ２０からの送信データの衝突を防いでいる。また、ＰＯＮ制御部１１は、ＯＮＵ２０の波長切替に能力等に関する管理テーブルを保持している。ＯＬＴ１０は、この管理テーブルを参照して、ＯＮＵ２０の波長を切り替える際の切替後の波長（移設先の波長）を決定することもできる。
【００１９】
また、ＯＬＴ１０は、光信号の送信処理を行う光送信器（Ｔｘ）１４−１〜４を備えており、それぞれ波長λ１１〜λ１４の光信号の送信処理を行うことが可能である。光送信器（Ｔｘ）１４−１〜４から送信された光信号はＷＤＭ（Wavelength  Division  Multiplexing）カプラ（ＷＤＭ）１３−１で波長多重化され、ＷＤＭ１２において上りデータと下りデータとが波長多重化される。
【００２０】
一方、光信号の受信処理を行う光受信器（Ｒｘ）１５−１〜４を備えており、それぞれ波長λ２１〜λ２４の光信号の受信処理を行うことが可能である。ＯＮＵ２０から受信し、ＷＤＭ１２で分離された光信号をＷＤＭ１３−２で波長λ２１〜λ２４の光信号に分離し、それぞれ光受信器（Ｒｘ）１５−１〜４で受信処理を行う。
【００２１】
ＯＮＵ２０は、ＰＯＮプロトコルに基づいてＯＮＵ側の処理を実施するＰＯＮ制御部２１と、ＯＮＵ側で上り信号と下り信号との多重化を行うＷＤＭ２２を備えており、また、図１では省略したが、ＯＬＴ１０への送信データ（上りデータ）を格納するためのバッファである送信バッファ（上りバッファ）と、ＯＬＴ１０からの受信データ（下りデータ）を格納するためのバッファである受信バッファ（下りバッファ）と、ＯＮＵ２０に接続された端末との間で、それぞれＵＮＩ（User  Network  Interface）の物理インタフェース機能を実現する物理層処理部（ＰＨＹ）と、を備える。
【００２２】
ＯＮＵ２０は、光信号の送信処理を行う光送受信器を備えており、光受信器（Ｒｘ）２３と光送信器（Ｔｘ）２４により構成される。光受信器（Ｒｘ）２３は、波長λ１１〜λ１４の光信号の受信処理を行うことが可能である。また、光送信器（Ｔｘ）２４は、波長λ２１〜λ２４の光信号の送信処理を行うことが可能である。ＷＤＭ２２において上りデータと下りデータとが波長多重化される。ここでは、ＯＮＵ２０の光受信器（Ｒｘ）２３は、波長可変の光受信器であり、フィルタ等の切替を行うことにより波長λ１１〜λ１４のうちいずれか１つの波長の光信号を受信できるものとする。同様に、光送信器（Ｔｘ）２４は、波長可変の光送信器であり、フィルタ等の切替を行うことにより波長λ２１〜λ２４のうちいずれか１つの波長の光信号を送信できるものとする。
【００２３】
上述のように、本実施の形態で示すＰＯＮシステムでは下り方向（ＯＬＴからＯＮＵの方向）ではλ１１〜λ１４，上り方向（ＯＮＵからＯＬＴの方向）では、λ２１〜λ２４の波長を用いて通信を行うことが可能であり、ＯＮＵ２０は、これらの波長のうち上り方向・下り方向のそれぞれにおいて選択的にこれらの波長の信号を用いることにより通信を行う。また、ＯＬＴ１０は、ＯＮＵ２０に対して使用する波長および通信帯域を通知し、波長ごとに時分割多重を行うことにより各ＯＮＵ２０からの光信号を衝突することなく通信を行っている。なお、送信または受信に使用する波長数がこれに限られるものではないことはいうまでもない。
【００２４】
次に、本実施の形態の全体動作について説明する。図２に、本発明の実施の形態１に係る通信システムの動作に関するフローチャートを示す。以下の説明では、ＰＯＮシステムにおいて使用可能なすべての波長（下り方向：λ１１〜λ１４，上り方向：λ２１〜λ２４）を送受信可能なＯＮＵ２０の電源が投入され、そのＯＮＵ２０に接続された端末がＯＬＴを介して上位ネットワークとの通信を行い、その後、このＯＮＵ２０の使用波長（送受信を行う波長）を切り替える場合を例にとり説明する。
【００２５】
ＯＬＴ１は新規に接続（電源投入）されたＯＮＵ２０の登録を行うためにディスカバリー処理を行う（ステップＳ１０１）。ディスカバリー処理において、新規に接続されたＯＮＵを登録した場合、このＯＮＵ２０に対して波長切替に関する能力情報を収集するため、能力情報を通知するよう要求する（ステップＳ１０２）。この要求を受けたＯＮＵ２０が、自装置の使用可能な波長、切替時間等に関する能力情報をＯＬＴ１０に対して通知し、ＯＬＴ１０ではこれを受信し、新規に登録されたＯＮＵの能力情報を把握する（ステップＳ１０３）。この通知された能力情報に基づいて、ＯＮＵに使用する波長を割当て、その割当てた波長をＯＮＵ２０に対して通知する（ステップＳ１０４）。
【００２６】
使用波長を通知されたＯＮＵ２０は、その通知に基づく波長を用いてＯＬＴ１０との通信を実施する（ステップＳ１０５）。ＯＬＴ１０とＯＮＵ２０との間で通信を実行中に、予め定められた条件を満足し特定のＯＮＵ２０の使用波長を変更すると判断した場合に（ステップＳ１０６）、ＯＬＴ１０側で使用波長の変更を行うＯＮＵの使用波長を選択し（ステップＳ１０７）、ＯＮＵ２０に対して変更（移設）後の波長を通知する（ステップＳ１０８）。波長変更を通知されたＯＮＵ２０は、自身の波長切替動作を実施し、ＯＬＴ１０より通知された波長へ切替を行い（ステップＳ１０９）、切替を行った波長を用いてＯＬＴ１０との通信を行う（ステップＳ１１０）。また、通信を終了すると判断した場合には、通信を終了し、通信を続行する場合には、ステップＳ１０５へ移行する（ステップＳ１１１）。以下に、各処理の詳細について説明する。
【００２７】
まず、ディスカバリー処理（ステップＳ１０１）について説明する。ディスカバリー処理では、ＯＬＴ１０はＰＯＮシステムに新たに接続されたＯＮＵ２０に対して登録処理行い、各ＯＮＵ２０にＩＤを付与する。ＯＬＴ２０は、予め定められた基底波長（ここでは、λ１１とする）を用いて、ディスカバリー処理を実施する。すなわち、ＯＬＴ２０のＰＯＮ制御部１１は、ディスカバリー用制御信号を生成し、波長λ１１の光信号を送信可能な光送信器(Ｔｘ１)１４−１に出力する。ディスカバリー用制御信号を受け取った光送信器(Ｔｘ１)１４−１は、定期的にディスカバリー用制御信号をＯＮＵ２０に対して送信する。
【００２８】
ＯＮＵ２０は、電源投入時にこの基底波長の光信号を受信可能となるよう設定されており、ＯＬＴ１０からのディスカバリー用制御信号を受信した場合、自身の個体番号等を含んだ登録要求信号をディスカバリー用制御信号で通知された割り当て時間に、ＯＬＴ１０に対して送信する。光送信器（Ｒｘ）２４についても、電源投入時に予め定められた基底波長（ここでは、λ２１とする）の光信号を送信可能なように設定されており、ＯＬＴ１０に対して波長λ２１を用いて登録要求信号を送信する。このようにディスカバリー処理において使用する波長を予め定めておくことにより、ＯＮＵ２０が複数の波長を選択的に受信する構成であっても、ディスカバリー処理を実施することができる。なお、基底波長はディスカバリー処理専用の波長とする必要はなく、データ通信を行う波長の一部の帯域を用いるようにしてもよい。
【００２９】
ここでは、ディスカバリー処理に予め定められた基底波長を用いる構成としたが、これに限ったものではない。例えば、ＯＬＴ１０が、ＰＯＮシステムで使用するすべての下り方向用波長（λ１１〜λ１４）を用いてディスカバリー用制御信号を送信することにより、ＯＮＵ２０はいずれかの波長のディスカバリー用制御信号を受信し、受信したディスカバリー用制御信号により指定された波長および送信時間帯に基づいてＯＬＴ１０に対して登録要求信号を送信するようにしてもよい。
【００３０】
ＯＮＵ２０から登録要求信号を受信したＯＬＴ１０は、ＯＮＵ２０に対してＬＬＩＤ（Logical  Link  ID）を付与し、ＯＮＵ２０を自装置に登録する。また、登録が完了したＯＮＵ２０に対して登録完了通知を送信し、ディスカバリー処理を終了する。また、ディスカバリー処理において、上述の制御信号を用いて遅延時間（Round  Trip  Time,以下、適宜「ＲＴＴ」と略記する）の計測を行い、ＬＬＩＤと対応づけて管理しておく。
【００３１】
ＯＮＵ２０の能力情報を収集するための能力情報を通知動作（ステップＳ１０２、Ｓ１０３）について説明する。ＯＬＴ１０は、登録処理が完了したＯＮＵ２０に対して、基底波長λ１１の光信号を用いて能力情報の通知を要求する（能力情報要求信号）。能力情報要求信号を受信したＯＮＵ２０は、自装置が使用可能な波長および他の波長へ切り替える際の切替時間に関する情報（能力情報）をＯＬＴ１０に対して送信する。図３に、能力情報通知のフォーマットの一例を示す。図３に示す例では、自装置に付与されたＩＤ、自装置の有する光送受信器が波長λ１１〜λ１４の光を受信可能であり、波長λ２１〜λ２４の光信号を送信可能であり、また、特定の波長から他の波長に切り替える場合に切替時間ｔ１を要する等のＯＮＵ２０の波長切替に関する情報を通知することができる。
【００３２】
この能力情報通知を実施する波長は、上述のディスカバリー処理と同じ波長（基底波長）を用いて行うものとしたが、他の波長を用いて行っても良い。他の波長を用いる場合、上述のディスカバリー処理の中で、または、ディスカバリー処理を行った波長を用いて能力情報通知に用いる波長をＯＮＵ２０に対して通知するようにしてもよく、また、ディスカバリー処理と同様に予め使用する波長（例えば、λ１２）を定めておくようにしてもよい。なお、ここでは、能力情報通知をディスカバリー終了後に実施する場合について示したが、上述のディスカバリー処理の中で行うようにしてもよい。
【００３３】
また、ＯＮＵ２０から能力情報の通知を受けたＯＬＴ１０は、自装置で管理するＯＮＵ管理テーブルの更新を行う。図４に、ＯＮＵ管理テーブルの一例を示す。図４において、ＯＮＵ管理テーブルは、ＯＮＵごとに付与されたＩＤ、動作可能波長（Ｒｘ，Ｔｘ）、また実際に動作中の波長、切替時間に関する情報を対応づけて管理している。ＯＮＵ２０から能力情報を受信した場合、受信した能力情報に基づいてＯＮＵ管理テーブルの更新を行う。図４に示す例では、ＩＤ＝１のＯＮＵは、下り波長：λ１１〜λ１４、上り波長：λ２１〜λ２４を使用可能であり、切替時間はｔ１であることがわかる。同様に、ＩＤ＝２のＯＮＵでは、下り波長：λ１１、上り波長：λ２１のみ使用可能であり、切替時間はｔ２であることがわかる。このような情報を、ＯＬＴ１０に登録されたＯＮＵ２０ごとに管理する。
【００３４】
次に、ＯＬＴ１からディスカバリー処理等が終了したＯＮＵ２０に対してＰＯＮシステム内で使用する波長（初期波長）を通知する動作（ステップＳ１０４）について説明する。なお、契約等で予め初期波長を定めている場合には、この動作を省略することも可能である。
【００３５】
ＯＬＴ１０からディスカバリー処理等が終了したＯＮＵ２０に対して、初期波長を通知する。図５に、初期使用波長通知のフォーマットの一例を示す。図５に示す例ではＩＤ＝１のＯＮＵ２０に対し、使用波長（動作波長）を下り方向：λ１２、上り方向：λ２２とするよう通知している。ここで、初期波長は、この通知を受けるＯＮＵ２０が使用可能であればどの波長でもよいが、ここでは、以下（Ａ１）〜（Ａ３）のいずれか方法またはこれらの方法を組み合わせて用いてＯＬＴ１０がＯＮＵ２０の初期波長を決定し、通知するものとする。
【００３６】
（Ａ１）契約等で予め定めた波長
予めユーザとの契約等で初期波長を定めて、その波長に関する情報をそのＯＮＵ２０と関連付けてＯＬＴ１０で保持しておき、ＯＮＵ２０が通信可能となった場合に、対応する初期波長をＯＮＵ２０へ通知する。予め使用波長を定めておくことにより、早期に通信を開始することが可能となる。また、ＯＮＵ２０側でも、ディスカバリー処理等が終了した場合、自動的にその波長が使用可能な状態とすることにより、使用する波長を通知しない構成とすることもできる。
【００３７】
（Ａ２）波長の優先順位に基づいて決定
波長使用優先順位と波長ごとの最大収容ＯＮＵ数を決めておき、この優先順位に基づいてＯＮＵ２０の初期波長を決定する。例えば、下り方向では波長λ１１（基底波長）の優先順位が最も高いとし、順にλ１２，λ１３，λ１４と優先順位を設定する。上り方向でも同様にλ２１（基底波長）から順に優先順位が高いものとする。ディスカバリー処理等が完了し新たに登録されたＯＮＵ２０をまずは下り基底波長λ１１／上り基底波長λ２１を初期波長とする。ＯＮＵ２０が新たに登録されるごとに同様の動作を実施し、下り基底波長λ１１／上り基底波長λ２１を使用するＯＮＵ２０の数が、最大収容ＯＮＵ数に到達したら、新たに登録されるＯＮＵ２０は次の優先順位の下り波長λ１２/上り波長λ２２に設定する。このようにＯＮＵ２０の初期波長を決定することにより、通信を行うＯＮＵ２０が少ない場合には、一部の波長を使用しなくてもよく、使用しない波長に関連する光送受信器を停止させることにより、省電力化が可能となる。
【００３８】
（Ａ３）使用率の低い波長
ＯＬＴ１０は、ＯＮＵ２０とのトラフィック量を監視し、波長ごとの使用率を算出しておく。ディスカバリー処理等が完了し、あらたにＯＮＵ２０が登録された場合、使用率の低い波長をこのＯＮＵ２０の初期波長に決定する。使用率の低い波長を優先的に用いることにより、各ユーザにより効率的に帯域を割り当てることが可能となる。
【００３９】
なお、通知する使用波長は１つでなくてもよい。すなわち、ＯＮＵ２が使用可能な複数の波長を通知し、ＯＮＵ２０側で使用する波長を選択するような構成としても良い。
【００４０】
ＯＬＴ１０から、初期波長を通知されたＯＮＵ２０は、この通知された波長を用いてＯＬＴ１０との通信を行う。ここでは、下り基底波長λ１１／上り基底波長λ２１を使用波長として説明する。ＰＯＮ制御部１１は、ＰＨＹ経由で上位ネットワークから受信した下りデータ（下り通信データ）をＯＬＴ１０側の送信バッファに格納する。ＯＬＴ１０からデータを送信する際には、ＰＯＮ制御部１１が、送信バッファに格納されている下りデータを読み出して波長λ１１の光信号を送信可能な光送信器（Ｔｘ）１４−１に出力し、光送信器（Ｔｘ）１４−１が送信データを光信号として出力し、ＷＤＭ１３−１およびＷＤＭ１２が波長多重を行って、加入者線３０経由でＯＮＵ２０へ下り信号として出力する。
【００４１】
また、ＰＯＮ制御部１１が、送信許可の指示を送信する送信帯域割当等の制御信号を送信する場合には、ＰＯＮ制御部１１が生成した制御信号を光送信器（Ｔｘ）１４−１に出力し、以下、下りデータを送信する場合と同様にＯＮＵ２０へ送信する。
【００４２】
ＯＮＵ２０では、ＯＬＴ１０から下り信号を受信すると、ＷＤＭ２２が下り信号を分離して光受信器（Ｒｘ）２３へ出力する。光受信器（Ｒｘ）２３は、波長λ１１の光信号を受信可能なように設定されており、光受信器（Ｒｘ）２３が下り信号を電気信号に変換してＰＯＮ制御部２１へ出力する。ＰＯＮ制御部２１は、光受信器（Ｒｘ）２３から出力された下りデータを受信バッファに格納する。ＰＯＮ制御部２１は、受信バッファに格納された下りデータを読み出してそのデータの宛先に応じてＰＨＹに出力する。下りデータを受け取ったＰＨＹは、下りデータに対して所定の処理を実施して、自装置に接続された端末へ送信する。
【００４３】
一方、ＯＮＵ２０から上りデータを送信する場合には、ＰＯＮ制御部２１は、ＯＮＵ２０に接続された端末からＰＨＹ経由で取得した上りデータをＯＮＵ２０側の送信バッファに格納する。そして、ＯＬＴ１０から与えられた送信帯域に基づいて送信バッファに格納した上りデータを読み出して光送信器２４へ出力する。光送信器（Ｔｘ）２４は、ＯＬＴ１０から通知された使用波長λ２１の光信号を送信可能なように切り替えられており、光送信器（Ｔｘ）２４は、上りデータを光信号（上り信号）に変換し、ＷＤＭ２２，加入者線３０経由でＯＬＴ１０に送信する。
【００４４】
ＯＬＴ１０のＰＯＮ制御部１１は、ＯＮＵ２０から加入者線３０，ＷＤＭ１２,１３−２、光受信器（Ｒｘ１）１５−１経由で受信した上りデータを受信バッファに格納する。また、ＰＯＮ制御部１１は、受信バッファに格納した上りデータを読み出して、ＰＨＹ経由で上位ネットワークへ出力する。
【００４５】
次に、ＯＮＵ２０の使用波長の変更動作（ステップＳ１０６）について説明する。予め定められた一定の条件を満たした場合、ＯＬＴ１０は特定のＯＮＵ２０に対し、使用波長の変更を決定し、変更を行うＯＮＵ２０に新たな波長を割り当てる。ＯＮＵ２０の波長の切替を行う条件はどのようなものを用いても良いが、ここでは、以下の（Ｂ１）、（Ｂ２）のいずれかまたはこれらを組み合わせて用いるものとする。
【００４６】
（Ｂ１）トラフィック監視
ＯＬＴ１０は、ＰＯＮシステムにおける波長ごとのトラフィック量を監視し、トラフィック量が所定の数値以上となった場合、その波長を使用する特定のＯＮＵ２０に関して使用する波長の変更を決定する。また、波長変更の条件として帯域使用率を用いてもよい。
【００４７】
（Ｂ２）波長ごとのＯＮＵ収容数監視
ＯＬＴ１０は、各波長を使用するＯＮＵ２０の数を監視しておき、特定の波長に収容されるＯＮＵ２０の数が所定数（最大収容ＯＮＵ数）以上となった場合、その波長を使用する特定のＯＮＵ２０（例えば、新たに追加されたＯＮＵ）に関して使用する波長の変更を決定する。
【００４８】
上述の波長切替トリガにより波長切替を決定した場合、波長切替を決定した波長を使用する特定のＯＮＵに対して波長切替の実施を通知する制御信号（Ｈｏｌｄｏｖｅｒメッセージ）を生成し、そのＯＮＵ２０にＨｏｌｄｏｖｅｒメッセージを送信する。ここで、どのＯＮＵ２０の使用する波長を変更させるかは運用者側の選択によるが、例えば、契約で瞬断を許容しないユーザについては波長変更を行わない、また、ＯＮＵ２０ごとのトラフィック量をモニタリングしておき、それまでの通信実績に基づいてトラフィック量の多いＯＮＵ２０について波長変更を行うよう決定する等のルールを定めておいてもよい。
【００４９】
波長の切替を実施する場合、ＯＬＴ１０は、ＯＮＵ２０から通知された能力情報に基づいて切替先の波長を決定する。すなわち、ＯＬＴ１０が、各ＯＮＵ２０の動作可能な波長を管理しておき、切替を行うＯＮＵ２０の動作可能な波長に切替を指示（要求でもよい）する。
【００５０】
ここで、切替を行うＯＮＵ２０が使用可能な波長であればどの波長に切り替えるようにしてもよいが、ここでは、例えば、上述の初期波長の決め方と同様に、以下の（Ｃ１)〜（Ｃ３）のいずれかまたはこれらを組み合わせた方法で移設先の波長を決定する。
（Ｃ１）契約等で予め定めた波長
ユーザとの契約等で予め変更する波長を定めておく。
（Ｃ２）波長の優先順位に基づいて決定
波長使用優先順位と波長ごとの最大収容ＯＮＵ数を決めておき、この優先順位に基づいてＯＮＵ２０の初期波長を決定する。
（Ｃ３）使用率の低い波長
ＯＬＴ１０は、ＯＮＵ２０とのトラフィック量を監視し、波長ごとの使用率を算出しておく。ＯＮＵ２０の使用波長を変更する場合、使用率の低い波長をこのＯＮＵ２０の初期波長に決定する。
【００５１】
また、ＰＯＮシステム内で使用する複数の波長のうち近接する波長の間隔が小さい（波長差が小さい）場合には、近接する波長に切り替えるのでなく、それ以外の波長に切り替えるようにしても良い。例えば、波長λ１１からλ１４の順で波長が長く、また、隣り合う波長の間隔が小さいとすると、波長λ１１を使用するＯＮＵ２０に対して、近接するλ１２ではなく、λ１３またはλ１４に切り替える。波長の近接する波長の間隔（波長の差）が小さい場合、温度変化等による出力波長の変化が無視できなるため温度補償等を行う必要があるが、使用帯域に余裕がある場合には、離れた波長を使用することにより温度補償等を行わなくよいという効果が得られる。
【００５２】
ＯＬＴ１０から波長変更指示（または要求）を受けたＯＮＵ２０は、自装置の光送信器または光受信器の一方または両方をそれまで使用して波長から他の波長へ切替を行う。ＯＮＵ２０の光受信器（Ｒｘ）２３で受信された波長変更通知は電気信号に変換されＰＯＮ制御部２１に出力される。波長変更通知を受け取ったＰＯＮ制御部２１は、波長変更通知に含まれる自装置の使用波長を抽出し、この使用波長が動作可能となるように光送受信器を制御する。すなわち、波長変更通知を受け取ったＰＯＮ制御部２１は、使用波長に切替を行うための制御信号を生成し、光送受信器に対して出力する。この切替を行うための制御信号を受信した光送受信器は、光受信器２３および光送信器２４の可変フィルタ等を切り替えて、光受信器は切替後の波長の光信号を受信可能なように、光送信器２４は切替後の波長の光信号を送信可能なようにする。ここで、ＯＮＵ２０はＬＬＩＤや認証状態を維持したまま、送受信波長の変更を行う。
【００５３】
この場合、波長の切替を行う期間、通信停止状態（Ｈｏｌｄｏｖｅｒ状態）となり、瞬断が発生する。ＰＯＮシステムでは、各ＯＮＵ２０からＯＬＴ１０に対して一定時間信号が到達しない場合、警報（ＬＯＢ（Loss  of  Burst）警報）が発生することとなるが、ＯＮＵ２０に波長切替指示（または要求）を行ったＯＮＵ２０に関する警報はマスクし、ＯＮＵが無応答であっても警報とみなさないようにする。すなわち、波長切替通知を送信したＯＬＴ１０は、警報抑止のための基準となるタイマを起動させ、タイマが満了する前の警報については警報とみなさないようにし、警報発生時に行うリンク切断等の処理行わない。また、波長変更通知を受信したＯＮＵ２０が応答通知を送信した後切替動作を開始する構成とした場合には、ＯＬＴ１０は、ＯＮＵ２０からの波長変更通知に対する応答通知を受信した後に、タイマを起動させる。ここで、タイマは、ＯＮＵ２０から通知された切替時間、ＲＴＴ等を考慮して設定される。これにより、ＯＮＵ２０の切替時間に起因する障害の誤検知を防止することができる。
【００５４】
ＯＬＴ１０は、ＯＮＵ２０からの能力情報の通知を受け更新したＯＮＵ管理テーブルを参照して、切替を実施するＯＮＵ２０の切替時間から、切替完了の時間（Ｈｏｌｄｏｖｅｒ終了時間）を推定する。推定したＨｏｌｄｏｖｅｒ終了時間に到達すると、切替動作を実行中のＯＮＵ２０に対して切替完了通知を送信し、切替動作を完了させる。以後、ＯＮＵ２０は、移設後の波長を用いて通信を行う。
【００５５】
ＯＮＵ２０は使用波長が変わっても、ディスカバリー処理で割り付けられたＩＤをそのまま使用する。ＯＬＴ１０はＯＮＵ２０のＩＤをキーとして、上位レイヤのコネクションとＯＮＵ２０とを対応付ける。また、ＯＬＴ１０は、使用しない波長に関連する光送受信器を停止させることにより、省電力化が可能となる。例えば、下り波長：λ１１・λ１２、上り波長：λ２１・λ２２のみを使用してＯＮＵ２０との通信を行っている場合には、下り波長：λ１３・λ１４の波長に関連する送信器（Ｔｘ３，Ｔｘ４）１４−３，４、および、上り波長：λ２３・λ２４に関連する受信器（Ｒｘ３，Ｒｘ４）１５−３，４に対する電源供給を停止させておくことにより、低消費電力化を実現することができる。
【００５６】
新たに波長の切替を行った場合、ＯＬＴ１０が移設波長先でのＲＴＴ情報を保有していない場合がある。すなわち移設先の波長を最初に使用する場合には、距離を再測定するためのウインドウを設ける。初回以降はラウンドトリップタイムを保持し移設後にそのＲＴＴを考慮して帯域を割当てる。なお、切替後の波長が切替前の波長と差が小さい場合には、ひとまず切替前の波長のＲＴＴを用いて帯域割当を行って通信を行い、その通信における信号の遅延時間等を計測してＲＴＴを求めるようにしてもよい。
【００５７】
なお、本実施の形態に係る通信システムは、ＰＯＮシステム内で使用されるすべての波長を使用可能なＯＮＵと一部または単一の波長のみを使用できるＯＮＵが混在する場合について示したが、すべてのＯＮＵがＰＯＮシステム内で使用されるすべての波長を使用可能であってもよい。すなわち、通信システム内に下り方向（ＯＬＴ⇒ＯＮＵ）および上り方向（ＯＮＵ⇒ＯＬＴ）の通信のうち少なくとも一方の通信において複数波長を使用できる少なくとも１つのＯＮＵが存在すれば本発明は適用することができる。これは、後述する他の実施の形態においても同様である。
【００５８】
上述の動作を、シーケンス図を用いて説明する。図６に、本実施の形態に係る通信システムの動作を表すシーケンス図を示す。ここでは、下り波長λ１１〜λ１４および上り波長λ２１〜λ２４の光信号を、光送受信器を切り替えることにより送受信可能なＯＮＵ２０−１の電源を投入し、ＯＬＴ１０との通信を行うものとして説明する。
【００５９】
ＯＮＵ２０−１の電源が投入された場合（Ｐ０）、ＯＮＵ２０−１では基底波長λ１１の光信号を受信可能な状態に設定されており、ＯＬＴ１０からのディスカバリー用制御信号を受信してディスカバリー処理を行う（Ｐ１０）。ディスカバリー処理は、予め定められた波長（基底波長）を用い、下り波長：λ１１，上り波長λ２１を用いて行う。ディスカバリー処理が終了し、ＯＮＵ２０−１が登録された場合、ＯＬＴ１０は、ＯＮＵ２０−１に対して能力情報要求通知を送信する（Ｐ１１）。能力情報要求通知を受信したＯＮＵ２０−１は、自装置の使用可能な波長（ここでは、下り波長：λ１１〜λ１４，上り波長：λ２１〜λ２４）および切替時間（ここでは、ｔ１）を含む能力情報をＯＬＴ１０に対して送信する（Ｐ１２）。
【００６０】
ＯＮＵ２０−１から能力情報を受信したＯＬＴ１０は、自装置で保持するＯＮＵ管理テーブルを更新し、ＯＮＵ２０−１が下り波長：λ１１〜λ１４，上り波長：λ２１〜λ２４が使用可能であり、切替時間がｔ１であることを登録する（Ｐ１３）。ＯＬＴ１０はＯＮＵ２０−１が使用する波長を決定し、決定した波長（予め契約等で定められている場合にその波長）をＯＮＵ２０−１に通知する（Ｐ１４）。ここでは、ＯＮＵ２０−１の使用波長を下り波長：λ１２，上り波長：λ２２とする。なお、これまでのＯＬＴ１０とＯＮＵ２０−１間の信号のやり取りは基底波長（下り波長：λ１１，上り波長：λ２１）を用いて行う。
【００６１】
初期使用波長（下り波長：λ１２，上り波長：λ２２）の通知を受けたＯＮＵ２０−１は、波長の切替を行う（Ｐ１５）。なお、初期使用波長通知においてディスカバリー処理等で用いた基底波長を通知された場合には、この切替動作は実施しない。ＯＮＵ２０−１は、使用波長の切替が完了した場合、その波長の信号を用いてデータ通信動作を行う（Ｐ１−１，Ｐ１６〜Ｐ１９）。
【００６２】
しばらくの間、下り波長：λ１２，上り波長：λ２２を用いて通信を実施した後、これらの波長が次第に混雑し、帯域不足と判断した場合、ＯＬＴ１０は、ＯＮＵ２０−１の使用波長の切替を決定する（Ｐ２０）。波長の切替を自装置が保持するＯＮＵ管理テーブルおよび各波長の使用率等に基づいて、ＯＮＵ２０−１が使用する波長を決定する。ＯＮＵ２０−１が使用する波長が決定された場合、波長の変更を行う旨および変更する波長に関する情報を含めた波長変更通知をＯＮＵ２０−１に対して送信する（Ｐ２１）。
【００６３】
波長変更通知を受け取ったＯＮＵ２０−１は、波長の切替を実施する（Ｐ２２）。ＯＬＴ１０は、切替完了時刻を推測し、その時間が到達したら切替完了通知をＯＮＵ２０に対して送信する（Ｐ２３）。なお、ここでＯＬＴ１０、ＯＮＵ２０−１からの能力情報通知によってＯＮＵ２０−１の切替時間を把握しているため、容易に切替完了時刻を推測することができる。また、ＯＮＵ２０は、ＯＬＴ１０からのＨｏｌｄｏｖｅｒメッセージ（Holdover終了）を受信後、ＯＬＴ１０へ応答メッセージを送信する（Ｐ２４）。これにより、ＯＬＴ１０はＯＮＵ２０が波長選択完了したことの確認を行うことができる。
【００６４】
切替完了通知を受信したＯＮＵ２０は、下り波長：λ１３，上り波長：λ２３を用いてＯＬＴ１０との通信を実行する（Ｐ１−２）。以上の動作を行うことにより、効率的に波長の切替を行ってＯＬＴ１０およびＯＮＵ２０間の通信を行うことができる。
【００６５】
実施の形態１に係る通信システムでは、以上のように親局装置が子局装置の使用する波長を決定し、子局装置に対して通知することにより、子局装置が状況に応じて波長の切替を行って親局装置との通信を実施することができる。また、親局装置が子局装置から波長切替に関する能力情報を収集することにより、種類の異なる子局装置が、通信システム内に存在する場合でも効率的に波長切替を行って通信を行うことができる。また、親局装置の、使用しない波長に関連する光送受信器を停止させることにより、省電力化が可能となる。
【００６６】
実施の形態２．
実施の形態１では、ＯＬＴが通信システムにおける通信状況等を監視し、ＯＮＵの波長を変更することを決定していたが、実施の形態２では、波長変更開始のトリガをＯＮＵからの波長変更要請によるものとする場合について示す。実施の形態２に係る通信システムの構成は実施の形態１に示す場合と同様であり、図１に示す通りである。
【００６７】
次に、動作について説明する。実施の形態２に係る通信システムの動作のフローチャートは、図２に示すものと同様であり、実施の形態１と同様の動作については説明を省略し、実施の形態１に示す場合と異なる動作のみ説明する。
【００６８】
ＯＮＵ２０の使用波長の変更動作（ステップＳ１０６）について説明する。実施の形態１では、ＯＬＴ１０における判断が波長変更のトリガとしていたが、実施の形態２では、ＯＮＵ２０における判断を波長変更のトリガとする。ディスカバリー処理等が終了し、ＯＬＴ１０とＯＮＵ２０間で通信が開始され、予め定められた条件を満たした場合、ＯＮＵ２０側で波長変更を要求することを決定する。
【００６９】
ここで、予め定められた条件とは、例えば、ＯＮＵ２０がＯＬＴ１０から割り当てられる帯域（通信時間）、また、自装置の送信バッファの残量等を監視することにより、使用する波長の切替要求を行うか否かを決定する。ＯＮＵ２０にて、波長の変更を要求することを決定した場合には、ＰＯＮ制御部２１において自装置の使用する波長の変更を要求する制御信号（波長変更要求通知）を生成し、光送信器（Ｔｘ）２３に出力する。波長変更要求信号を受け取った光送信器（Ｔｘ）２３は、ＯＬＴ１０から割り当てられた帯域において、現在使用中の波長を用いてＯＬＴ１０に送信する。なお、波長変更要求信号に自身の波長変更に関する能力情報を含めるようにしてもよい。
【００７０】
ＯＮＵ２０から波長変更要求信号を受信したＯＬＴ１０では、他の波長の通信状況等に基づいて波長変更要求信号を送信したＯＮＵ２０の波長を変更するか否か、また、波長の変更を行う場合には移設先の波長を決定する。
【００７１】
上述の動作を、シーケンス図を用いて説明する。図７に実施の形態２に係る通信システムの動作に係るシーケンス図を示す。電源を投入されたＯＮＵ２０は、実施の形態１に示す場合と同様、ディスカバリー処理を実行し、波長切替に関する能力情報をＯＬＴ１０に対して通知する。ＯＬＴ１０から使用する波長を割り当てられたＯＮＵ２０は、その波長を用いてＯＬＴ１０との通信を実行する。
【００７２】
しばらくの間、下り波長：λ１２，上り波長：λ２２を用いて通信を実施した後（Ｐ１−１）、これらの波長が次第に混雑し、ＯＮＵ２０が自装置の波長切替を要求すると判断する（Ｐ３０）。この場合、ＯＮＵ２０は、波長変更要求信号を生成し、ＯＬＴ１０に対して送信する（Ｐ３１）。波長変更要求を受信したＯＬＴ１０は、波長の切替を自装置が保持するＯＮＵ管理テーブルおよび各波長の使用率等に基づいて、ＯＮＵ２０の波長を変更するか、波長を変更する場合には使用する波長を決定する（Ｐ３２）。ＯＮＵ２０−１が使用する波長が決定した場合、波長の変更を行う旨および変更する波長に関する情報を含めた波長変更許可通知をＯＮＵ２０−１に対して送信する（Ｐ３３）。
【００７３】
ＯＬＴ１０から波長変更許可（または指示）の通知を受けたＯＮＵ２０は、自装置の光送信器または光受信器の一方または両方をそれまで使用して波長から他の波長へ切替を行う（Ｐ３４）。ＯＬＴ１０では、ＯＮＵ２０から通知された切替時間に基づいて、ＯＬＴ１０はＯＮＵ２０が波長を切り替え終えた時間を推定し、切替完了通知（Ｈｏｌｄｏｖｅｒ終了メッセージ）を送付する（Ｐ３５）。以後、移設後の波長を用いてＯＬＴ１０とＯＮＵ２０間の通信を行う（Ｐ１−２）。
【００７４】
実施の形態２に係る通信システムでは、以上のような構成をとるため実施の形態２と同様に、子局装置が状況に応じて波長の切替を行って親局装置との通信を実施することができる。さらに、子局装置から波長変更を要求可能とすることにより、子局装置の状況に応じた波長切替を行うことも可能となる。
【００７５】
実施の形態３．
上述の実施の形態では、親局装置が子局装置の波長切替動作が完了したかを推測し、切替完了を通知する構成としたが、実施の形態３に係る通信システムではＨｏｌｄｏｖｅｒ状態終了通知を子局装置から親局装置に対して行う場合について示す。実施の形態３に係る通信システムを、実施の形態１、２と同様にＰＯＮシステムを例にとり説明する。その構成は実施の形態１の場合と同様であり、図１に示す通りである。
【００７６】
次に、動作について説明する。実施の形態３に係る通信システムの全体の動作は、図２に示す場合と同様である。ここでは、実施の形態１と同様の動作については説明を省略し、動作の異なる使用波長の切替動作（ステップＳ１０９）についてのみ説明する。
【００７７】
ＯＬＴ１０から波長変更通知を受信したＯＮＵ２０は、通知された波長に自装置の送信波長および受信波長の少なくとも一方の波長の切替を行う。ＯＮＵ２０は、切替動作が完了するとＯＬＴ１０に対してＨｏｌｄｏｖｅｒ状態終了通知を切替後の波長を用いて送信する。この際、ＯＬＴ１０は、ＯＮＵ２０が切替動作完了後に完了通知を送信できるよう定期的に帯域割当を行う。Ｈｏｌｄｏｖｅｒ状態終了通知を受信したＯＬＴ１０は、切替完了通知をＯＮＵ２０に送信し、切替完了動作を終了する。
【００７８】
上述の動作について、シーケンス図を用いて説明する。図８に実施の形態３の場合の動作に係るシーケンス図を示す。図８に実施の形態３に係る通信システムの動作に係るシーケンス図を示す。電源を投入されたＯＮＵ２０は、実施の形態１に示す場合と同様、ディスカバリー処理を実行し、波長切替に関する能力情報をＯＬＴ１０に対して通知する。ＯＬＴ１０から使用する波長を割り当てられたＯＮＵ２０は、その波長を用いてＯＬＴ１０との通信を実行する。
【００７９】
しばらくの間、下り波長：λ１２，上り波長：λ２２を用いて通信を実施した後（Ｐ１−１）、これらの波長が次第に混雑し、ＯＬＴ１０が、ＯＮＵ２０−１の波長切替を行うと判断する（Ｐ３２）。この場合、ＯＬＴ１０は、波長の切替を自装置が保持するＯＮＵ管理テーブルおよび各波長の使用率等に基づいて、ＯＮＵ２０−１の波長を変更するか、波長を変更する場合には使用する波長を決定する（Ｐ３２）。ＯＮＵ２０−１が使用する波長が決定し、波長の変更を行う旨および変更する波長に関する情報を含めた波長変更通知をＯＮＵ２０−１に対して送信する（Ｐ３３）。
【００８０】
ＯＬＴ１０から波長変更許可（または指示）の通知を受けたＯＮＵ２０は、自装置の光送信器または光受信器の一方または両方をそれまで使用して波長から他の波長へ切替を行う（Ｐ３４）。切替が完了した場合、ＯＮＵ２０−１から、切替動作が完了しＨｏｌｄｏｖｅｒ状態が終了したことを通知するＨｏｌｄｏｖｅｒ終了通知をＯＬＴ１０に送信する（Ｐ４０）。Ｈｏｌｄｏｖｅｒ終了通知を受信したＯＬＴ１０はＯＮＵ２０−１の切替動作終了を検知し、切替完了通知（Ｈｏｌｄｏｖｅｒ終了メッセージ）を送付する（Ｐ３５）。以後、移設後の波長を用いてＯＬＴ１０とＯＮＵ２０間の通信を行う（Ｐ１−２）。
【００８１】
実施の形態３に係る通信システムは、以上のような構成であるため、他の実施の形態と同様に、子局装置が状況に応じて波長の切替を行って親局装置との通信を実施することができる。また、ＯＮＵ２０からＨｏｌｄｏｖｅｒ終了通知を送信することにより、親局装置自身が子局装置のＨｏｌｄｏｖｅｒ終了を見計らう必要がないという効果が得られる。
【００８２】
以上の各実施の形態では、発明の本質を逸脱しない限り、各実施の形態を相互に組み合わせてもよいことはいうまでもない。
【符号の説明】
【００８３】
１０  局側終端装置（ＯＬＴ）、１１  ＰＯＮ制御部、１２  ＷＤＭカプラ（ＷＤＭ）、１３  ＷＤＭカプラ（ＷＤＭ）、１４  光送信器（Ｔｘ）、１５  光受信器（Ｒｘ）、２０  加入者側終端装置（ＯＮＵ）、２１  ＰＯＮ制御部、２２  ＷＤＭカプラ（ＷＤＭ）、２３  光受信器（Ｒｘ）、２４  光送信器（Ｔｘ）。
【図１】
0005908051.tif 000002
【図２】
0005908051.tif 000003
【図３】
0005908051.tif 000004
【図４】
0005908051.tif 000005
【図５】
0005908051.tif 000006
【図６】
0005908051.tif 000007
【図７】
0005908051.tif 000008
【図８】
0005908051.tif 000009